(57)【要約】【課題】本発明はＸ線保安検査機のリアルタイム遠隔監視方法を開示する。【解決手段】Ｘ線保安検査機の位置、動作状態及び名称を地図に表示し、色によってＸ線保安検査機の動作の有無及びその動作状態を示し、地図におけるＸ線保安検査機の名称をクリックすると、クライアントが該Ｘ線保安検査機のすべての関連動作状態パラメータを表示し、クライアントによってＸ線保安検査機の動作状態を遠隔照会でき、Ｘ線保安検査機が異常する際に、色表示により、直接異常位置を示し、それにより修理員が早急に対応でき、修理効率を向上させ、Ｘ線保安検査機の異常状態から正常状態回復までの停止時間を短縮させる。【選択図】図１
2017173290.tif 000002
【特許請求の範囲】
【請求項１】
すべての監視対象のＸ線保安検査機の関連動作状態パラメータをリアルタイムに取得するステップ（Ｓ１０１）と、
前記監視対象のＸ線保安検査機の関連動作状態パラメータをクラウドサーバにアップロードするステップ（Ｓ１０２）と、
クライアントがターゲットＸ線保安検査機への遠隔監視を要求するステップ（Ｓ１０３）と、
クラウドが前記ターゲットＸ線保安検査機の関連動作状態パラメータをクライアントにプッシュするステップ（Ｓ１０４）と、
クライアントが前記ターゲットＸ線保安検査機の動作状態を表示するステップ（Ｓ１０５）と、を含むことを特徴とするＸ線保安検査機のリアルタイム遠隔監視方法。
【請求項２】
前記取得するステップ（Ｓ１０１）では、監視対象のＸ線保安検査機の関連動作状態パラメータは、Ｘ線保安検査機の番号、名称、検査済みの荷物数、動作時間、Ｘ線管電圧、Ｘ線管電流、環境温度、環境湿度、Ｘ線管状態、検出器状態、制御パネル状態、起動時間、停止時間、所在地の経度及び所在地の緯度を含むが、それらに限定されないことを特徴とする請求項１に記載のＸ線保安検査機のリアルタイム遠隔監視方法。
【請求項３】
前記取得するステップ（Ｓ１０１）は、監視対象のＸ線保安検査機の産業用コンピュータにより、Ｘ線保安検査機の関連動作状態パラメータをリアルタイムに取得するステップを含むことを特徴とする請求項２に記載のＸ線保安検査機のリアルタイム遠隔監視方法。
【請求項４】
前記アップロードするステップ（Ｓ１０２）は、監視対象のＸ線保安検査機の産業用コンピュータにより、取得したＸ線保安検査機の関連動作状態パラメータをクラウドサーバにアップロードするステップを含むことを特徴とする請求項３に記載のＸ線保安検査機のリアルタイム遠隔監視方法。
【請求項５】
前記要求するステップ（Ｓ１０３）は、未登録ユーザーが登録してクライアントにログインし、登録済みユーザーがクライアントに直接ログインするステップ（Ｓ１０３１）と、ターゲットＸ線保安検査機の番号及び名称を追加するステップ（Ｓ１０３２）と、を含むことを特徴とする請求項４に記載のＸ線保安検査機のリアルタイム遠隔監視方法。
【請求項６】
前記表示するステップ（Ｓ１０５）は、クライアントが前記ターゲットＸ線保安検査機の所在地の経度と所在地の緯度に基づき前記ターゲットＸ線保安検査機の位置、動作状態及び名称を地図に表示するステップを含むことを特徴とする請求項５に記載のＸ線保安検査機のリアルタイム遠隔監視方法。
【請求項７】
前記表示するステップ（Ｓ１０５）では、クライアントは色によってＸ線保安検査機の動作状態を示し、灰色はＸ線保安検査機のオフライン状態を示し、緑色はＸ線保安検査機の正常動作状態、すなわちＸ線管、検出器、制御パネルがいずれも正常状態であることを示し、黄色はＸ線保安検査機の軽故障、すなわちＸ線管、検出器、制御パネルのうちのいずれかが異常状態であることを示し、赤色は重故障、すなわちＸ線管、検出器、制御パネルのうちの少なくとも２つが異常状態であることを示し、Ｘ線保安検査機に故障が発生する際に、修理員は、まず故障したＸ線保安検査機が具体的にはＸ線管、検出器、制御パネルのうちのどれが故障したかを決定し、次に地図に表示されるＸ線保安検査機の位置情報に基づき、修理サービスを提供することを特徴とする請求項６に記載のＸ線保安検査機のリアルタイム遠隔監視方法。
【請求項８】
前記表示するステップ（Ｓ１０５）は、地図におけるＸ線保安検査機の名称をクリックすると、クライアントが該Ｘ線保安検査機のすべての関連動作状態パラメータを表示するステップをさらに含むことを特徴とする請求項７に記載のＸ線保安検査機のリアルタイム遠隔監視方法。
【請求項９】
Ｘ線保安検査機が故障すると、クラウドサーバがウィーチャットメッセージを修理員にプッシュし、修理員に前記Ｘ線保安検査機の故障原因及びその位置情報を通知するステップ（Ｓ１０６）をさらに含むことを特徴とする請求項７又は８のいずれかに記載のＸ線保安検査機のリアルタイム遠隔監視方法。
【発明の詳細な説明】
【技術分野】
【０００１】
本発明は保安検査機の監視の技術分野に関し、特にＸ線保安検査機のリアルタイム遠隔監視方法に関する。
【背景技術】
【０００２】
従来、Ｘ線保安検査機に対する監視プロセスは、使用機関が専任者を任命してＸ線保安検査機に巡回点検と定期点検を行い、Ｘ線保安検査機に動作異常が発生し、継続使用が不能になると、Ｘ線保安検査機の動作異常−関連者による異常状況フィードバック−Ｘ線保安検査機の修理員による異常原因の分析−修理員によるＸ線保安検査機の修理−故障除去という処理プロセスを実行し、それによりＸ線保安検査機が正常動作に回復する。しかしながら、上記Ｘ線保安検査機の監視方法は以下の欠陥がある。
【０００３】
１、Ｘ線保安検査機の使用者は、Ｘ線保安検査機メーカーの関連装置の修理知識を有する専門家と異なり、Ｘ線保安検査機で生じる異常状態の説明が実際の状態に一致しないことがあるので、Ｘ線保安検査機の修理員はＸ線保安検査機の故障を迅速に点検して除去することが不能であり、修理員がＸ線保安検査機で生じた故障を確認してから装置の現場に行って修理を行うので、使用者がＸ線保安検査機装置の異常を発見してから修理員が現場に到着して装置を修理して正常動作に回復するまでの修理周期が長い。２、Ｘ線保安検査機の動作状態情報をリアルタイムに確認できない。３、様々な場所でのＸ線保安検査機に集中遠隔監視を行うことが不能であり、知能程度が低い。
【発明の概要】
【発明が解決しようとする課題】
【０００４】
本発明は、上記背景技術で述べた問題を解決するために、Ｘ線保安検査機のリアルタイム遠隔監視方法を提供することを目的とする。
【課題を解決するための手段】
【０００５】
この目的を達成するために、本発明の技術案は以下のとおりである。
Ｘ線保安検査機のリアルタイム遠隔監視方法であって、
Ｓ１０１、すべての監視対象のＸ線保安検査機の関連動作状態パラメータをリアルタイムに取得するステップと、
Ｓ１０２、前記監視対象のＸ線保安検査機の関連動作状態パラメータをクラウドサーバにアップロードするステップと、
Ｓ１０３、クライアントがターゲットＸ線保安検査機への遠隔監視を要求するステップと、
Ｓ１０４、クラウドが前記ターゲットＸ線保安検査機の関連動作状態パラメータをクライアントにプッシュするステップと、
Ｓ１０５、クライアントが前記ターゲットＸ線保安検査機の動作状態を表示するステップと、を含む。
【０００６】
特に、前記ステップＳ１０１では、監視対象のＸ線保安検査機の関連動作状態パラメータは、Ｘ線保安検査機の番号、名称、検査済みの荷物数、動作時間、Ｘ線管電圧、Ｘ線管電流、環境温度、環境湿度、Ｘ線管状態、検出器状態、制御パネル状態、起動時間、停止時間、所在地の経度及び所在地の緯度を含むが、それらに限定されない。
【０００７】
特に、前記ステップＳ１０１は、具体的には、監視対象のＸ線保安検査機の産業用コンピュータにより、Ｘ線保安検査機の関連動作状態パラメータをリアルタイムに取得するステップを含む。
【０００８】
特に、前記ステップＳ１０２は、具体的には、監視対象のＸ線保安検査機の産業用コンピュータにより、取得したＸ線保安検査機の関連動作状態パラメータをクラウドサーバにアップロードするステップを含む。
【０００９】
特に、前記ステップＳ１０３は、具体的には、Ｓ１０３１、未登録ユーザーが登録してクライアントにログインし、登録済みユーザーがクライアントに直接ログインするステップと、Ｓ１０３２、ターゲットＸ線保安検査機の番号及び名称を追加するステップと、を含む。
【００１０】
特に、前記ステップＳ１０５は、具体的には、クライアントが前記ターゲットＸ線保安検査機の所在地の経度と所在地の緯度に基づき前記ターゲットＸ線保安検査機の位置、動作状態及び名称を地図に表示するステップを含む。
【００１１】
特に、前記ステップＳ１０５では、クライアントは色によってＸ線保安検査機の動作状態を示し、灰色はＸ線保安検査機のオフライン状態を示し、緑色はＸ線保安検査機の正常動作状態、すなわちＸ線管、検出器、制御パネルがいずれも正常状態であることを示し、黄色はＸ線保安検査機の軽故障、すなわちＸ線管、検出器、制御パネルのうちのいずれかが異常状態であることを示し、赤色は重故障、すなわちＸ線管、検出器、制御パネルのうちの少なくとも２つが異常状態であることを示し、Ｘ線保安検査機に故障が発生する際に、修理員は、まず故障したＸ線保安検査機が具体的にはＸ線管、検出器、制御パネルのうちのどれが故障したかを決定し、次に地図に表示されるＸ線保安検査機の位置情報に基づき、修理サービスを提供する。
【００１２】
特に、前記ステップＳ１０５は、地図におけるＸ線保安検査機の名称をクリックすると、クライアントが該Ｘ線保安検査機のすべての関連動作状態パラメータを表示するステップをさらに含む。
【００１３】
特に、前記Ｘ線保安検査機のリアルタイム遠隔監視方法は、Ｓ１０６、Ｘ線保安検査機が故障すると、クラウドサーバがウィーチャットメッセージを修理員にプッシュし、修理員に前記Ｘ線保安検査機の故障原因及びその位置情報を通知するステップをさらに含む。
【発明の効果】
【００１４】
本発明に係るＸ線保安検査機のリアルタイム遠隔監視方法によれば、Ｘ線保安検査機の位置、動作状態及び名称を地図に表示し、色によってＸ線保安検査機の動作の有無及びその動作状態を示し、地図におけるＸ線保安検査機の名称をクリックすると、クライアントが該Ｘ線保安検査機のすべての関連動作状態パラメータを表示し、クライアントによってＸ線保安検査機の動作状態を遠隔照会でき、Ｘ線保安検査機が異常する際に、色表示により、直接異常位置を示し、それにより修理員が早急に対応でき、修理効率を向上させ、Ｘ線保安検査機の異常状態から正常状態回復までの停止時間を短縮させる。
【図面の簡単な説明】
【００１５】
【図１】本発明の実施例に係るＸ線保安検査機のリアルタイム遠隔監視方法のフローチャートである。
【図２】本発明の実施例に係るＸ線保安検査機のリアルタイム遠隔監視方法のネットワーキング模式図である。
【発明を実施するための形態】
【００１６】
本発明の理解を容易にするために、以下、関連図面を参照して本発明をより詳細に説明する。図面は本発明の好ましい実施例を示す。なお、本発明は様々な形態によって実現でき、本明細書で説明される実施例に限定されない。一方、これらの実施例は、本発明の開示を明確かつ完全に理解するためのものである。特に断らない限り、本明細書に使用されるあらゆる技術と科学用語は当業者の公知の定義と同様である。本明細書に使用される用語は具体的な実施例を説明するためのものであり、本発明を限定するものではない。本明細書に使用される用語「及び／又は」は１つの又は複数の関連する要素の任意の組み合わせとすべての組合せを含む。
【００１７】
図１に示すように、図１は本発明の実施例に係るＸ線保安検査機のリアルタイム遠隔監視方法のフローチャートを示す。
【００１８】
本実施例では、Ｘ線保安検査機のリアルタイム遠隔監視方法は、具体的には下記ステップを含む。
【００１９】
Ｓ１０１、すべての監視対象のＸ線保安検査機の関連動作状態パラメータをリアルタイムに取得する。
【００２０】
監視対象のＸ線保安検査機の産業用コンピュータにより、Ｘ線保安検査機の関連動作状態パラメータをリアルタイムに取得する。前記監視対象のＸ線保安検査機の関連動作状態パラメータは、Ｘ線保安検査機の番号、名称、検査済みの荷物数、動作時間、Ｘ線管電圧、Ｘ線管電流、環境温度、環境湿度、Ｘ線管状態、検出器状態、制御パネル状態、起動時間、停止時間、所在地の経度及び所在地の緯度を含むが、それらに限定されない。Ｘ線保安検査機の産業用コンピュータが関連動作状態パラメータを取得する方式は従来技術であるため、ここでは重複説明を省略し、たとえば、Ｘ線管電圧、Ｘ線管電流が電圧電流センサによって実現され、環境温度、環境湿度が従来の温度センサと湿度センサにより実現され、起動時間と停止時間が産業用コンピュータのシステムソフトウェアにより記録され、経度及び緯度情報が内蔵ＧＰＳ測位チップ、北斗測位チップ等により実現される。
【００２１】
Ｓ１０２、前記監視対象のＸ線保安検査機の関連動作状態パラメータをクラウドサーバにアップロードする。
【００２２】
監視対象のＸ線保安検査機の産業用コンピュータにより、取得したＸ線保安検査機の関連動作状態パラメータをクラウドサーバにアップロードする。Ｘ線保安検査機の産業用コンピュータがネットワークにアクセスすると、Ｘ線保安検査機の関連情報をクラウドサーバにリアルタイムにアップロードして処理することができる。なお、Ｘ線保安検査機の番号、名称、検査済みの荷物数、動作時間、Ｘ線管電圧、Ｘ線管電流、環境温度、環境湿度、Ｘ線管状態、検出器状態、制御パネル状態、起動時間、停止時間についての情報は標準的なユビキタスネットワークプロトコルのｍｑｔｔプロトコルによってクラウドサーバにアップロードされ、Ｘ線保安検査機の所在地の経度及び所在地の緯度についての情報はｃｏｍｍｗａｙのｇｐｒｓ＋ｇｐｓのｄｔｕを利用し、ｔｃｐプロトコルを使用してモバイルネットワークによってクラウドサーバに位置情報パラメータを送信する。クラウドサーバは２組のデータを解析し、それらの対応関係を見つけることにより、２組のデータを統合してクラウドサーバに記憶する。
【００２３】
Ｓ１０３、クライアントがターゲットＸ線保安検査機への遠隔監視を要求する。
ユーザーは特定のターゲットＸ線保安検査機の動作状態を遠隔照会する必要があると、未登録ユーザーがクライアント（携帯電話又はＰＣ）に登録してクライアントにログインし、登録済みユーザーがクライアントに直接ログインし、ログイン後、ターゲットＸ線保安検査機の番号及び名称を追加するだけで、後続の照会等の操作を行うことができる。
【００２４】
Ｓ１０４、クラウドが前記ターゲットＸ線保安検査機の関連動作状態パラメータをクライアントにプッシュする。
【００２５】
Ｓ１０５、クライアントが前記ターゲットＸ線保安検査機の動作状態を表示する。
【００２６】
クライアントが前記ターゲットＸ線保安検査機の所在地の経度と所在地の緯度に基づき前記ターゲットＸ線保安検査機の位置、動作状態及び名称を地図に表示する。地図におけるＸ線保安検査機の名称をクリックすると、クライアントが該Ｘ線保安検査機のすべての関連動作状態パラメータを表示する。本実施例では、クライアントは色によってＸ線保安検査機の動作状態を示し、灰色はＸ線保安検査機のオフライン状態を示し、緑色はＸ線保安検査機の正常動作状態、すなわちＸ線管、検出器、制御パネルがいずれも正常状態であることを示し、黄色はＸ線保安検査機の軽故障、すなわちＸ線管、検出器、制御パネルのうちのいずれかが異常状態であることを示し、赤色は重故障、すなわちＸ線管、検出器、制御パネルのうちの少なくとも２つが異常状態であることを示し、Ｘ線保安検査機に故障が発生する際に、修理員は、まず故障したＸ線保安検査機が具体的にはＸ線管、検出器、制御パネルのうちのどれが故障したかを決定し、次に地図に表示されるＸ線保安検査機の位置情報に基づき、修理サービスを提供する。
【００２７】
Ｓ１０６、Ｘ線保安検査機が故障すると、クラウドサーバがウィーチャットメッセージを修理員にプッシュし、修理員に前記Ｘ線保安検査機の故障原因及びその位置情報を通知する。
【００２８】
図２に示すように、図２は本発明の実施例に係るＸ線保安検査機のリアルタイム遠隔監視方法のネットワーキング模式図である。図中では、２０１はクライアント、２０２はクラウドサーバ、２０３は監視対象のＸ線保安検査機である。
【００２９】
本発明の技術案によれば、Ｘ線保安検査機の位置、動作状態及び名称を地図に表示し、色によってＸ線保安検査機の動作の有無及びその動作状態を示し、地図におけるＸ線保安検査機の名称をクリックすると、クライアントが該Ｘ線保安検査機のすべての関連動作状態パラメータを表示し、正当ユーザーがクライアントによってＸ線保安検査機の動作状態を遠隔照会でき、Ｘ線保安検査機が異常する際に、色表示により、直接異常位置を示し、それにより修理員が早急に対応でき、修理効率を向上させ、Ｘ線保安検査機の異常状態から正常状態回復までの停止時間を短縮させる。
【００３０】
当業者は、上記実施例の方法の一部又は全部のプロセスをコンピュータプログラムによって関連ハードウェアに命令を出して実行することができ、前記プログラムがコンピュータ可読記憶媒体に記憶され、該プログラムを実行する時、上記各方法の実施例のプロセスを含むと理解できるだろう。前記記憶媒体として、磁気ディスク、光ディスク、読み出し専用メモリ（Ｒｅａｄ−Ｏｎｌｙ  Ｍｅｍｏｒｙ、ＲＯＭ）又はランダムアクセスメモリ（Ｒａｎｄｏｍ  Ａｃｃｅｓｓ  Ｍｅｍｏｒｙ、ＲＡＭ）などが挙げられる。
【００３１】
なお、以上、本発明の好ましい実施例及びその技術的原理を説明した。当業者であれば、本発明は上記特定の実施例に限定されるものではなく、本発明の保護範囲を逸脱せずに、様々な変更、再調整や置換を行うことができると理解できるだろう。従って、上記実施例により本発明を詳細に説明したが、本発明は上記実施例に限定されるものではなく、本発明の発想を逸脱せずに、より多くのほかの等価実施例を想到でき、本発明の範囲は添付の特許請求の範囲に定められる。
【図１】
2017173290.tif 000003
【図２】
2017173290.tif 000004